【手続補正書】
【提出日】令和2年12月15日(2020.12.15)
【手続補正１】
【補正対象書類名】明細書
【補正対象項目名】０００６
【補正方法】変更
【補正の内容】
【０００６】
請求項１に記載の杭基礎は、鉛直方向に沿って延在され、杭頭が地盤よりも上方に突出されて塔状構造物を支持する杭と、地盤上に設置され、前記杭頭に固定されて前記杭に作用する力を地盤へ伝達させる床版と、を有し、前記杭は、鋼管で形成されており、前記床版は、鋼材で形成されている。
【手続補正２】
【補正対象書類名】明細書
【補正対象項目名】０００８
【補正方法】変更
【補正の内容】
【０００８】
また、床版は、杭における地盤よりも上方に突出された杭頭に固定されている。これにより、床版を設置する際に予め地盤を掘削する必要がない。すなわち、地盤中に支持板を埋設する構造と比較して、短期間で床版を設置することができる。
さらに、杭と床版とが同じ鋼材となるため、ボルト及びナットなどによる機械的な締結によって杭頭に床版を固定する方法に加えて、溶接などの方法を用いることができる。
請求項２に記載の杭基礎は、鉛直方向に沿って延在され、杭頭が地盤よりも上方に突出されて塔状構造物を支持する杭と、地盤上に設置され、前記杭頭に固定されて前記杭に作用する力を地盤へ伝達させる床版と、を有し、前記床版は、前記杭頭に接合された複数の鉄筋コンクリート造のブロックを含んで構成されている。
請求項２に記載の杭基礎では、複数の鉄筋コンクリート造のブロックを用いることで、地盤に杭を打ち込んだ後にコンクリートを打設することなく床版を設置することができる。
【手続補正３】
【補正対象書類名】明細書
【補正対象項目名】０００９
【補正方法】変更
【補正の内容】
【０００９】
請求項３に記載の杭基礎は、請求項１又は２において、前記杭は、前記塔状構造物と同軸上に設けられている。
【手続補正４】
【補正対象書類名】明細書
【補正対象項目名】００１０
【補正方法】変更
【補正の内容】
【００１０】
請求項３に記載の杭基礎では、杭を塔状構造物と同軸上に設けることで、１本の杭で塔状構造物を支持するモノパイル基礎とすることができる。この結果、複数の杭で塔状構造物を支持する構造と比較して、工期の短縮を図ることができる。
【手続補正５】
【補正対象書類名】明細書
【補正対象項目名】００１１
【補正方法】変更
【補正の内容】
【００１１】
請求項４に記載の杭基礎は、請求項１〜３の何れか１項において、前記床版は、海中に設置されている。
【手続補正６】
【補正対象書類名】明細書
【補正対象項目名】００１２
【補正方法】変更
【補正の内容】
【００１２】
請求項４に記載の杭基礎では、床版を海中に設置した場合であっても、予め地盤を掘削する必要がないため、杭基礎を施工するための設備が大掛かりにならずに済む。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
請求項５に記載の杭基礎は、請求項１〜４の何れか１項において、前記塔状構造物は、風力発電装置の脚部を構成している。
【手続補正１４】
【補正対象書類名】明細書
【補正対象項目名】００２０
【補正方法】変更
【補正の内容】
【００２０】
請求項５に記載の杭基礎では、風力発電装置などの重量物によって杭に転倒する方向のモーメントが作用するが、床版によって、このモーメントとは逆向きのモーメントが作用するため、杭に作用する最大モーメントを軽減することができる。
【手続補正１５】
【補正対象書類名】明細書
【補正対象項目名】００２１
【補正方法】変更
【補正の内容】
【００２１】
請求項６に記載の杭基礎の施工方法は、塔状構造物を支持する杭を地盤に打ち込む工程と、打ち込まれた前記杭における地盤よりも上方に突出された杭頭の周囲に型枠を設置する工程と、前記杭頭にコンクリートを打設する工程と、を備え、前記型枠の設置時に、前記型枠の下端部を地盤中に埋設させている。
【手続補正１６】
【補正対象書類名】明細書
【補正対象項目名】００２２
【補正方法】変更
【補正の内容】
【００２２】
請求項６に記載の杭基礎の施工方法では、コンクリートの型枠の下端部を地盤中に埋設させることで、この型枠の下端部を楔として機能させることができ、床版が地盤から離間するのを抑制することができる。
【手続補正１７】
【補正対象書類名】明細書
【補正対象項目名】００２３
【補正方法】変更
【補正の内容】
【００２３】
請求項７に記載の杭基礎の施工方法は、塔状構造物を支持する杭を地盤に打ち込む工程と、打ち込まれた前記杭における地盤よりも上方に突出された杭頭の周面に複数のブロックを接合することで一体の床版を形成する工程と、を有する。
【手続補正１８】
【補正対象書類名】明細書
【補正対象項目名】００２４
【補正方法】変更
【補正の内容】
【００２４】
請求項７に記載の杭基礎の施工方法では、分割されたブロックを接合して床版を形成することで、一体の床版を杭頭に接合する方法と比較して、床版の設置が大掛かりにならずに済む。
【手続補正１９】
【補正対象書類名】特許請求の範囲
【補正対象項目名】全文
【補正方法】変更
【補正の内容】
【特許請求の範囲】
【請求項１】
鉛直方向に沿って延在され、杭頭が地盤よりも上方に突出されて塔状構造物を支持する杭と、
地盤上に設置され、前記杭頭に固定されて前記杭に作用する力を地盤へ伝達させる床版と、
を有し、
前記杭は、鋼管で形成されており、
前記床版は、鋼材で形成されている杭基礎。
【請求項２】
鉛直方向に沿って延在され、杭頭が地盤よりも上方に突出されて塔状構造物を支持する杭と、
地盤上に設置され、前記杭頭に固定されて前記杭に作用する力を地盤へ伝達させる床版と、
を有し、
前記床版は、前記杭頭に接合された複数の鉄筋コンクリート造のブロックを含んで構成されている杭基礎。
【請求項３】
前記杭は、前記塔状構造物と同軸上に設けられている請求項１又は２に記載の杭基礎。
【請求項４】
前記床版は、海中に設置されている請求項１〜３の何れか１項に記載の杭基礎。
【請求項５】
前記塔状構造物は、風力発電装置の脚部を構成している請求項１〜４の何れか１項に記載の杭基礎。
【請求項６】
塔状構造物を支持する杭を地盤に打ち込む工程と、
打ち込まれた前記杭における地盤よりも上方に突出された杭頭の周囲に型枠を設置する工程と、
前記杭頭にコンクリートを打設する工程と、
を備え、
前記型枠の設置時に、前記型枠の下端部を地盤中に埋設させた杭基礎の施工方法。
【請求項７】
塔状構造物を支持する杭を地盤に打ち込む工程と、
打ち込まれた前記杭における地盤よりも上方に突出された杭頭の周面に複数のブロックを接合することで一体の床版を形成する工程と、
を有する杭基礎の施工方法。